(57)【要約】      （修正有）【課題】皿から油分が零れ落ち難く、かつ料理から流出した油分を短時間で所定の場所に集めることができる皿を提供する。【解決手段】本発明は、皿１の上面の中央部２から外縁方向に向かい外周方向に湾曲した凸状部４が１３個形成されているので、皿１を傾けても皿１に付された焼肉から流出した油分が中央部から外周方向に湾曲した凸状部４に沿って流れることになり、皿１の外部に零れ難くすることができる。【選択図】図１
2019080877.tif 000002
【特許請求の範囲】
【請求項１】
上面の所定の位置から外縁方向に傾斜させて形成された皿であって、
前記所定の位置から外縁方向に向かい外周方向に湾曲した凸状部が複数個形成されていることを特徴とする皿。
【請求項２】
前記凸状部は、周方向に略等間隔で複数個形成されていることを特徴とする請求項１記載の皿。
【請求項３】
略円形形状の皿であって、
前記所定の位置は、略中央部であることを特徴とする請求項１または請求項２記載の皿。
【請求項４】
前記凸状部は、同一形状であり、
中心部と該凸状部の円周側の終点と結んだ線は、すべて隣の前記凸状部と交差することを特徴とする請求項３に記載の皿。
【請求項５】
上面の最も低い最低部と最も高い最上部の差は、０．５ｍｍ〜３．０ｍｍであることを特徴とする請求項１〜請求項４のいずれか１項に記載の皿。
【発明の詳細な説明】
【技術分野】
【０００１】
本発明は、上面の所定の位置から外縁方向に傾斜して形成された皿に関する。
【背景技術】
【０００２】
従来より、上面の所定の位置から傾斜させて形成された皿が知られている。
【０００３】
この種の皿として、料理の盛り付け部分に緩やかな傾斜面１０６が形成され、その傾斜面１０６の傾斜方向に複数列の溝１０２が直線状に刻設された皿１０１が知られている（図７参照）。そして、この皿１０１の盛り付け部分に載置された料理から流出した油分は傾斜面に沿って流れた後に、中央部の凹部１０３に流入するというものであった（特許文献１参照）。  
【先行技術文献】
【特許文献】
【０００４】
【特許文献１】実用新案登録第３０４３７５７号公報
【発明の概要】
【発明が解決しようとする課題】
【０００５】
しかしながら、従来の皿では、皿１０１を傾けると皿１０１の上部に付された料理から流出した油分が直線状に刻設された溝１０２に沿って流れることから外部に零れやすく、料理店などでは皿１０１から零れ落ちた油分が服などに付くと大きな問題が発生するというものであった。また、従来の皿１０１では、溝１０２のない方の凸状形状をした傾斜面に料理から油分が流出した場合、その溝１０２のない方の凸状形状をした傾斜面に沿って中央部の凹部１０３に流れ込むようになるが、これでは凹部１０３に流れ込むまで多くの時間を要し、短時間に中央部の凹部１０３に流れ込ますことができないという問題もあった。
【０００６】
本発明は上記問題点に鑑みてなされたもので、皿から油分が零れ落ち難く、かつ料理から流出した油分を短時間で所定の場所に集めることができる皿を提供することを目的とする。
【課題を解決するための手段】
【０００７】
上記課題を解決し上記目的を達成するために、本発明のうち第１の態様に係るものは、上面の所定の位置から外縁方向に傾斜させて形成された皿であって、所定の位置から外縁方向に向かい外周方向に湾曲した凸状部が複数個形成されていることを特徴とするものである。
【０００８】
本発明によれば、皿の上面の所定の位置から外縁方向に向かい外周方向に湾曲した凸状部が複数個形成されているので、皿を傾けても皿に付された料理から流出した油分は、所定の位置から外周方向に湾曲した凸状部に沿って流れることになり、また凸状部の窪みに滞留することになり、皿の外部に零れ難くすることができる。このように、皿の外部に零れ難くすることができるので、料理店などで使用しても油分が服などに付き難いという安心感を向上させることができる。また、皿の上面の所定の位置から外縁方向に向かい外周方向に湾曲した凸状部が複数個形成されているので、油分が外縁方向に向かって流れると外周方向に湾曲した凸状部の側部と衝突して、外周方向に湾曲した凸状部に沿って流れる油分と合流することとなる。そして、その凸状部に沿って流れる油分と合流した油分は、先に凸状部に沿って流れた油分により形成された油道を流れるので、皿の外縁方向に早期に流出させることができる。
【０００９】
本発明のうち第２の態様に係るものは、第１の態様に係る皿であって、凸状部は、周方向に略等間隔で複数個形成されていることを特徴とするものである。
【００１０】
本発明によれば、凸状部は周方向に略等間隔で複数個形成されているので、外縁方向に向かい外周方向に湾曲した凸状部が周方向に偏りなく均等に形成され、料理から流出した油分は外周方向に湾曲した凸状部に沿って均等に流れ、料理から流出した油分を効率的に所定の場所に集めることができる。
【００１１】
本発明のうち第３の態様に係るものは、第１の態様または第２の態様の態様に係る皿であって、略円形形状の皿であって、所定の位置は、略中央部であることを特徴とするものである。
【００１２】
本発明によれば、所定の位置は略中央部であるので、外周方向に湾曲した凸状部を均等の長さで形成することができ、料理から流出した油分が外周方向に湾曲した凸状部に沿って均等に流れ、皿の外部により零れ難くすることができる。また、所定の位置が略中央部であるので、料理から流出した油分が略中央部から外縁方向に傾斜した傾斜面に沿って流れることになり、料理から流出した油分を効率的に所定の場所に集めることができる。
【００１３】
本発明のうち第４の態様に係るものは、第３の態様に係る皿であって、凸状部は、同一形状であり、中心部と凸状部の円周側の終点と結んだ線は、すべて隣の凸状部と交差することを特徴とするものである。
【００１４】
本発明によれば、凸状部は同一形状であり、中心部と凸状部の円周側の終点と結んだ線は隣の凸状部と交差するので、皿に載せた料理から流出した油分が皿の外縁方向に向かって流れると、その外縁方向に向かって流れたほとんど油分が凸状部の側部と衝突することになる。これにより、先に凸状部に沿って流れた油分により形成された油道に多くの油分を合流させることができ、皿の外縁方向に早期に流れさせることができる。
【００１５】
本発明のうち第５の態様に係るものは、第１の態様〜第４の態様のいずれ１態様に係る皿であって、上面の最も低い最低部と最も高い最上部の差は、０．５ｍｍ〜３．０ｍｍであることを特徴とするものである。
【００１６】
本発明によれば、上面の最も低い最低部と最も高い最上部の差が０．５ｍｍ〜３．０ｍｍの薄い皿であっても、皿から油分が零れ落ち難く、かつ料理から流出した油分を短時間で所定の場所に集めることができる。
【発明の効果】
【００１７】
本発明の皿によれば、皿の上面の所定の位置から外縁方向に向かい外周方向に湾曲した凸状部が複数個形成されているので、皿から油分が零れ落ち難く、かつ料理から流出した油分を短時間で所定の場所に集めることができる。
【図面の簡単な説明】
【００１８】
【図１】本発明の一実施形態における皿の上部斜視図である。
【図２】（ａ）同皿の上面図である。（ｂ）同皿の側面図である。（ｃ）同皿の下部斜視図である。
【図３】（ａ）図２（ａ）のＡ−Ａ断面図である。（ｂ）図２（ａ）のＢ−Ｂ断面図である。
【図４】（ａ）同皿に載せた焼肉から流出した油分が皿の上面に付された状態を示す図である。（ｂ）同皿に載せた焼肉から流出した油分が凸状部に沿って流れる状態を示す図である。
【図５】同皿を傾けて、皿の上面を油分が流れる状態を示す図である。
【図６】（ａ）本発明の変形例における皿の上面図を示す図である。（ｂ）図６（ａ）のＣ−Ｃ断面図である。
【図７】従来の皿を示す図である。
【発明を実施するための形態】
【００１９】
以下、本発明の皿の一実施形態について図面を参照にしながら説明する。ここで、図１は本発明の一実施形態における皿の上部斜視図であり、図２（ａ）は同皿の上面図であり、図２（ｂ）は同皿の側面図であり、図２（ｃ）は同皿の下部斜視図であり、図３（ａ）は図２（ａ）のＡ−Ａ断面図であり、図３（ｂ）は図２（ａ）のＢ−Ｂ断面図である。以下、皿１に載せた料理（焼肉など）から流出した油分が皿１の上部を流れる態様について説明する。
【００２０】
図１および図３に示すように、皿１は、上面の最も低い最低部と最も高い最上部の差が１．２ｍｍ、外形２５．０ｍｍの略円形形状の薄い皿で、上面には中央部２から外縁方向に傾斜させた傾斜面３が形成されている。この傾斜面３は、中央部２から半径方向の略中間部まで略４．３度、半径方向の略中間部から略外縁部まで略６．０度の傾斜で形成されている。このように略中間部を境にして外縁方向の傾斜角が少しきつくしている。なお、本実施形態では、上面の中央部２から外縁方向に傾斜させた傾斜面３が形成されているが、これに限らず、中央部２以外の皿１の左側１／４の箇所または右側１／４の箇所から外縁方向に傾斜させた傾斜面でもよく、また、それ以外の皿１上面の略中央部など任意の所定の位置から外縁方向に傾斜させた傾斜面であってもよい。また、本実施形態では、傾斜面を略４．３度〜略６.０度の範囲内の傾斜で形成させたが、これに限らず、４．０度〜６.５度の範囲内（好ましくは、３．５度〜６．０度の範囲内）の傾斜で形成してもよい。また、本実施形態では、皿１の上面の最も低い最低部と最も高い最上部の差が１．２ｍｍとしたが、これに限らず、皿１の上面の最低部と最上部の差が０．５ｍｍ〜３．０ｍｍ（好ましくは、１．０ｍｍ〜２．５ｍｍ（より好ましくは、１．０ｍｍ〜２．０ｍｍ））など、１．２ｍｍには限定されない。さらに、皿１の外形を略円形形状としたが、これに限らず、四角形状などの他の形状であってもよい。
【００２１】
皿１の上面には、皿１の中央部２から皿１の外縁方向に向かう方向に凸状部４が形成されている。この凸状部４は、円周方向に略等間隔で１３個形成され、外周方向に弓形に湾曲した形状で形成されている。具体的には、凸状部４は、皿１の中央部２から略外縁部までの長さで、上面に向かうほど断面積が小さく、最大横幅が１０ｍｍ〜１５ｍｍ（好ましくは、０．５ｍｍ〜２０ｍｍ（より好ましくは、１０ｍｍ〜２０ｍｍ））の範囲内で形成されている（図３（ｂ）参照）。ここで、「皿１の中央部２から略外縁部まで」とは、皿１の中央付近から外縁付近までの意味で、本実施形態では、皿１の中心から少し離れた位置から後述する溝５の手前までの長さで形成されている。また、凸状部４は、すべて同一形状であり、凸状部４の始点（中央部２）と凸状部４の終点（略外縁部）とを結んだ線Ｌは、隣の凸状部４と交差点Ｐで交差するように形成されている（図２（ａ）参照）。ここで、線Ｌは、凸状部４の始点と凸状部４の終点を結んだ線であるが、図２（ａ）では、見やすいように終点からさらに延長して記載している。なお、本実施形態では、凸状部４をすべて同一形状で形成したが、これに限らず、異なる形状であってもよい。また、本実施形態では、凸状部４の始点と凸状部４の終点とを結んだ線Ｌが隣の凸状部４と交差点Ｐで交差するように形成されているが、これに限らず、線Ｌの凸状部４の始点から全長の１／２以上の長さの箇所で隣の凸状部４と交差するように形成してもよい。また、皿１の傾斜面３の外縁部には、溝５が形成されている。この溝５は、深さが２．０ｍｍで、皿の傾斜面３を囲うように形成されている。また、本実施形態では、凸状部４を１３個形成させたが、これに限らず、凸状部４を１３個以上でもよく、また４個〜１２個（好ましくは、４個〜８個）などの複数個設けるようにしてもよい。なお、本実施形態では、凸状部４は、皿１の中央部２から略外縁部までの長さで形成されているとしたが、これに限らず、皿１の中央部２から皿１の半径の０．７倍〜０．９８倍（好ましくは、０．７５倍〜０．９５倍（より好ましくは、０．８倍〜０．９５倍））の位置までの長さで形成されるようにしてもよく、また、皿１の中心から半径の０．３倍の位置から０．９８倍の位置まで（好ましくは、少なくとも中心から半径の０．４倍の位置から０．９倍の位置まで（より好ましくは、少なくとも中心から半径の０．５倍の位置から０．９倍の位置まで））の長さで形成されるようにしてもよい。
【００２２】
次に、皿１に載せた料理（焼肉など）から流出した油分が凸状部４に沿って流れる過程について図４を参照にしながら説明する。ここで、図４（ａ）は本発明の一実施形態における皿に載せた焼肉から流出した油分が皿の上面に付された状態を示す図であり、図４（ｂ）は同皿に載せた焼肉から流出した油分が凸状部に沿って流れる状態を示す図である。
【００２３】
図４（ａ）に示すように、皿１に載せた焼肉から油分が流出すると、皿１の凸状部４と凸状部４の間の焼肉の裏面からも油分が流出し、その流出した油分は、皿１の上面に界面張力により半円形状となって油滴（小さな油分の塊）として留まることになる。
【００２４】
皿１の上面に付された油滴は、その後時間の経過により、また皿１に載せた焼肉から流出した油分と衝突などすることにより、皿１の上面の半円形状の油滴が崩れ、ゆっくり皿１の傾斜面方向、すなわち中央部２から外縁方向に流れる（図４（ｂ）参照）。そして、半円形状の油滴から流出した油分が中央部２から外縁方向の傾斜面に沿って流れると外周方向に湾曲した凸状部４の側部と衝突して、外周方向に湾曲した凸状部４に沿って流れる油分と合流することとなる。そして、その凸状部４に沿って流れる油分と合流した油分は、先に凸状部４に沿って流れた油分により形成された油道を流れるので、皿１の外縁方向に早期に流出させることができる。しかも、皿１の凸状部４の始点（中央部２）と凸状部４の終点（略外縁部）と結んだ線が、その線の凸状部４の始点（中央部２）から全長の１／２以上の長さの箇所で隣の凸状部４と交差するように構成すれば、皿１に載せた焼肉から流出した油分が皿１の傾斜面３方向に流れると、その傾斜面３方向に流れたよりほとんどの油分が凸状部４の側部と衝突することになる。これにより、先に凸状部４に沿って流れた油分により形成された油道に多くの油分を合流させることができ、皿１の外縁方向に早期に流れさせることができる。このようにして、皿１の凸状部４に沿って流れる油分は、溝５に流入し、早期に溝部５に溜めることができる。
【００２５】
次に、皿１を傾けて、皿１の上面の油分が流れる方向について図５を参照にしながら説明する。ここで、図５は本発明の一実施形態における皿を傾けて、皿の上面を油分が流れる状態を示す図である。
【００２６】
図５に示すように、焼肉から流出した油分が付いた皿１を傾けると、油分は皿１が傾けられた方向に向かって流れ落ちる。そして、皿１が傾けられた方向に向かって流れ落ちる油分は、凸状部４の側部と衝突し、凸状部４の窪みに衝突した油分は凸状部４の窪みに滞留し、また、凸状部４の湾曲部の外側に衝突した油分は凸状部４に沿って流れる。このように、凸状部４の窪みに滞留した油分は凸状部４の窪みに滞留することにより、また、凸状部４に沿って流れる油分は外周方向に湾曲した形状の凸状部４に沿って流れることにより、皿１の外部に零れ難くすることができる。すなわち、凸状部４は、外周方向に湾曲した形状であるので、直線状の凸状部と比較して凸状部に沿って流れる油道を長く取ることができ、溝５に流入するまで時間を長くすることができる。
【００２７】
以上説明したように、本実施形態における皿１によれば、皿１の上面の外周方向に湾曲した凸状部４が形成されているので、皿１を傾けても皿１に付された焼肉から流出した油分が、凸状部４の窪みに滞留することにより、また、外周方向に湾曲した凸状部４に沿って流れることにより、皿１の外部に零れ難くすることができる。このように、皿１の外部に零れ難くすることができるので、焼肉店などでも油分が服などに付き難いという安心感を向上させることができる。また、皿１の上面の外周方向に湾曲した凸状部４が形成されているので、油分が外縁方向に向かって流れると外周方向に湾曲した凸状部４の側部と衝突して、外周方向に湾曲した凸状部４に沿って流れる油分と合流することとなる。そして、その凸状部４に沿って流れる油分と合流した油分は、先に凸状部４に沿って流れた油分により形成された油道を流れるので、皿１の外縁方向に早期に流出させることができる。これにより、焼肉から流出した油分を短時間で所定の場所に集めることができる。
【００２８】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００２９】
以下、本発明の変形例について、図６を用いて説明する。ここで、図６（ａ）は本発明の変形例における皿の上面図を示す図であり、図６（ｂ）は図６（ａ）のＣ−Ｃ断面図である。
【００３０】
本実施形態と変形例の異なるところは、本実施形態では、皿１の中央部２から外縁方向に傾斜させたが、変形例では、凸状部４から凸状部４に向かう方向に更に傾斜させたところが異なる。すなわち、本実施形態の凸状部４と凸状部４の間の傾斜面に、凸状部４の外側部から凸状部４の内側部に向かう方向、すなわち凸状部４の外側部から内側部に向かう方向に、外側部の凸状部４の外縁方向の各部位に略直交する方向に略３．０度の下り勾配の傾斜が形成されたところが異なる。なお、本変形例では、凸状部４の外側部から内側部に向かう方向に、外側部の凸状部４の外縁方向の各部位に略直交する方向に略３．０度の下り勾配の傾斜を形成させたが、これに限らず、１.０度〜４.０度（好ましくは、１.０度〜３．０度）の下り勾配の傾斜を形成するようにしてもよく、また、所定の角度で凸状部４の外側部から内側部に向かう方向に下り勾配の傾斜を形成させるようにしてもよい。また、本変形例では、凸状部４の外側部から内側部に向かう方向に下り勾配の傾斜を形成させたが、これに限らず、凸状部４の内側部から外側部に向かう方向に略３．０度の下り勾配の傾斜を形成させるようにしてもよい（なお書きも適用）。
【００３１】
このように、凸状部４の外側部から凸状部４の内側部に向かう方向に下り勾配の傾斜が形成されることにより、外縁方向に向かって流れる油分を凸状部４の内側部に早期に導き衝突させることができ、皿１の外縁方向に早期に流出させることができる。
【符号の説明】
【００３２】
１    皿
２    中央部
３    傾斜面
４    凸状部
５    溝
【図１】
2019080877.tif 000003
【図２】
2019080877.tif 000004
【図３】
2019080877.tif 000005
【図４】
2019080877.tif 000006
【図５】
2019080877.tif 000007
【図６】
2019080877.tif 000008
【図７】
2019080877.tif 000009
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
上面の所定の位置から外縁方向に上面を下り傾斜させて形成された皿であって、
前記所定の位置から外縁方向に向かい外周方向に湾曲させて複数個形成された凸状部と、
前記凸状部と隣合う前記凸状部の間に形成され、前記凸状部の外側部から隣の前記凸状部の内側部に向かう方向に下り傾斜させた傾斜面と、を有し、
料理から流出し外縁方向に向かって流れる油分は、前記凸状部の内側部と衝突し、前記凸状部の内側部に沿って流れる油分と合流することにより、外縁方向に早期に流出させることを特徴とする皿。
【請求項２】
前記凸状部は、周方向に等間隔で複数個形成されていることを特徴とする請求項１記載の皿。
【請求項３】
円形形状の皿であって、
前記所定の位置は、円形形状の中央部であることを特徴とする請求項１または請求項２記載の皿。
【請求項４】
前記凸状部は、同一形状であり、
前記円形形状の中央部と該凸状部の円周側の終点と結んだ直線は、すべて隣の前記凸状部と交差することを特徴とする請求項３に記載の皿。
【請求項５】
上面の最も低い最低部と最も高い最上部の差は、０．５ｍｍ〜３．０ｍｍであることを特徴とする請求項１〜請求項４のいずれか１項に記載の皿。
【手続補正２】
【補正対象書類名】明細書
【補正対象項目名】０００７
【補正方法】変更
【補正の内容】
【０００７】
上記課題を解決し上記目的を達成するために、本発明のうち第１の態様に係るものは、上面の所定の位置から外縁方向に上面を下り傾斜させて形成された皿であって、所定の位置から外縁方向に向かい外周方向に湾曲させて複数個形成された凸状部と、凸状部と隣合う凸状部の間に形成され、凸状部の外側部から隣の凸状部内側部に向かう方向に下り傾斜させた傾斜面と、を有し、料理から流出し外縁方向に向かって流れる油分は、凸状部の内側部と衝突し、凸状部の内側部に沿って流れる油分と合流することにより、外縁方向に早期に流出させることを特徴とするものである。
【手続補正３】
【補正対象書類名】明細書
【補正対象項目名】０００８
【補正方法】変更
【補正の内容】
【０００８】
本発明によれば、皿の上面の所定の位置から外縁方向に向かい外周方向に湾曲させて複数個形成された凸状部を設けているので、皿を傾けても皿に付された料理から流出した油分は、所定の位置から外周方向に湾曲した凸状部の内側部に沿って流れることになり、また凸状部の窪みに滞留することになり、皿の外部に零れ難くすることができる。このように、皿の外部に零れ難くすることができるので、料理店などで使用しても油分が服などに付き難いという安心感を向上させることができる。また、皿の上面の所定の位置から外縁方向に向かい外周方向に湾曲した凸状部が複数個形成されるとともに、凸状部と隣合う凸状部の間に形成され、凸状部の外側部から隣の凸状部の内側部に向かう方向に下り傾斜させた傾斜面が形成されているので、油分が外縁方向に向かって流れると外周方向に湾曲した凸状部の内側部と衝突して、外周方向に湾曲した凸状部の内側部に沿って流れる油分と合流することとなる。そして、その凸状部の内側部に沿って流れる油分と合流した油分は、先に凸状部の内側部に沿って流れた油分により形成された油道を流れるので、皿の外縁方向に早期に流出させることができる。
【手続補正４】
【補正対象書類名】明細書
【補正対象項目名】００１１
【補正方法】変更
【補正の内容】
【００１１】
本発明のうち第３の態様に係るものは、第１の態様または第２の態様の態様に係る皿であって、円形形状の皿であって、所定の位置は、円形形状の中央部であることを特徴とするものである。
【手続補正５】
【補正対象書類名】明細書
【補正対象項目名】００１３
【補正方法】変更
【補正の内容】
【００１３】
本発明のうち第４の態様に係るものは、第３の態様に係る皿であって、凸状部は、同一形状であり、円形形状の中央部と凸状部の円周側の終点と結んだ線は、すべて隣の凸状部と交差することを特徴とするものである。